(57)【要約】      （修正有）【課題】ディスク高速回転時の振動を長期にわたって確実に抑制する。【解決手段】ターンテーブル８付きスピンドルモータ９及びディスクＤの半径方向に移動可能な光ピックアップ１０を搭載したシャーシ本体５Ａと合成樹脂製レバーアーム５Ｂとからなるトラバースシャーシ５がローダーシャーシ２内に上下動可能に配置され、レバーアーム５Ｂが、レバー本体５ａと、レバー本体５ａの両端から延びてローダーシャーシ２に回動可能に枢支された左右一対のアーム部５ｂとを有し、ローダーシャーシ２の前部にスライド可能に配置したカムスライダ１２とレバーアーム５Ｂとがカム機構１３により連動連結され、レバー本体５ａの一端部を切欠いて形成した凹部２９の内面に一体突設した弾性変位可能な抑え片３０を有し、抑え片３０がＵ字形に形成されてその先端部がローダーシャーシ２に弾性的に押し付けられている。【選択図】図１
2012099187.tif 000002
【特許請求の範囲】
【請求項１】
ターンテーブル付きスピンドルモータ及びディスクの半径方向に移動可能な光ピックア
ップを搭載したシャーシ本体と合成樹脂製レバーアームとからなるトラバースシャーシが
ローダーシャーシ内に上下動可能に配置され、前記レバーアームが、レバー本体と、該レ
バー本体の両端から延びてローダーシャーシに回動可能に枢支された左右一対のアーム部
とを有し、前記ローダーシャーシの前部にスライド可能に配置したカムスライダと前記レ
バーアームとがカム機構により連動連結され、レバーアームの振動を抑制する制振機構が
設けられており、プレイモードで、スピンドルモータによりターンテーブルを介してディ
スクを高速回転させ、該ディスクに記録されている情報を光ピックアップにより読み取り
、レバーアームの振動を制振機構により抑制するようにしたディスク装置において、前記
制振機構が、前記レバー本体の一端部を切欠いて形成した凹部の内面に一体突設した弾性
変位可能な抑え片を有しており、該抑え片がＵ字形に形成されてその先端部がローダーシ
ャーシに弾性的に押し付けられていることを特徴とするディスク装置。
【請求項２】
前記抑え片の中央弯曲部から先端部かけての中間部が先すぼまり状に形成されているこ
とを特徴とする請求項１に記載のディスク装置。
【請求項３】
前記トラバースシャーシの下動状態で抑え片の先端部に対向してローダーシャーシに凹
段部が形成されていることを特徴とする請求項１または２に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、ディスク高速回転時の振動を長期にわたって確実に抑制するこ
とができるようにしたものである。
【背景技術】
【０００２】
従来、ディスク装置の一例として図６〜図８に示すものがあり、これは、Ｂｌｕ−ｒａ
ｙ  Ｄｉｓｃ式のレコーダ（またはプレーヤ）であって、ディスクＤ載置用合成樹脂製ト
レイ１が合成樹脂製ローダーシャーシ２内に配置され、該ローダーシャーシ２の両側板２
ａに一体形成した棚枠３上のガイドレール４にトレイ１が前後進ａ，ｂ可能に係合され、
金属製シャーシ本体５Ａと合成樹脂製レバーアーム５Ｂとからなるトラバースシャーシ５
がローダーシャーシ２内に配置され、前記シャーシ本体５Ａの後部がゴムからなる後側弾
性体６を介してローダーシャーシ２に上下動ｃ，ｄ可能に連結されると共に、該シャーシ
本体５Ａの前部がゴムからなる前側弾性体７を介してレバーアーム５Ｂに連結され、前記
シャーシ本体５Ａ上にターンテーブル８付きスピンドルモータ９とディスクＤの半径方向
に移動可能な対物レンズＯＬ付き光ピックアップ１０とが搭載されている。
【０００３】
図６及び図７に示すように、前記レバーアーム５Ｂは、前後進ａ，ｂ方向とは直交する
左右方向ｅ，ｆに沿って延びるレバー本体５ａと、該レバー本体５ａの両端から後進ｂ方
向に延びる左右一対のアーム部５ｂとを有し、該各アーム部５ｂの遊端に一体突設した支
軸５ｃをローダーシャーシ２の各棚枠３に形成した凹状軸受部１１に嵌入させることによ
り、その支軸５ｃを中心にしてレバーアーム５Ｂが回動可能に枢支されている。
【０００４】
図６〜図８に示すように、前記ローダーシャーシ２の前部にカムスライダ１２が左右方
向ｅ，ｆに沿ってスライド可能に配置され、該カムスライダ１２に形成したカム溝１３ａ
と、レバーアーム５Ｂのレバー本体５ａに突設されてカム溝１３ａに嵌入するカムピン１
３ｂとからなるカム機構１３によりカムスライダ１２とレバーアーム５Ｂとが連動連結さ
れ、前記カムピン１３ｂの先端がローダーシャーシ２の前部に形成した縦溝１４に昇降可
能に嵌入されている。図６中、１５はねじ軸機構１５ａを介して光ピックアップ１０を往
復移動させるためのフィードモータである。
【０００５】
図６及び図８に示すように、ローダーシャーシ２の前部にピニオン１６が正逆回転ｇ，
ｈ可能に配置され、該ピニオン１６に噛合可能なカムラック１７が前記カムスライダ１２
に設けられ、そのピニオン１６に噛合可能なトレイラック１８がトレイ１の裏面に前後進
ａ，ｂに沿って一体突設され、前記カムスライダ１２に左右一対のガイドピン１９が一体
突設されている。
【０００６】
図７中、２１はローダーシャーシ２の両側板２ａ間に架設した横桁２２の中央部に一定
範囲内昇降可能に配置したクランパであって、ターンテーブル８とでディスクＤをクラン
プする。図８中、２３はローダーシャーシ２の両側板２ａに一体突設したトレイ押さえ片
である。
【０００７】
プレイモードでは、図６及び図７に実線で示すように、トラバースシャーシ５を上動ｃ
させて水平姿勢にすることにより、トレイ１上のディスクＤをターンテーブル８で持ち上
げ、該ディスクＤをターンテーブル８とクランパ２１とでクランプし、スピンドルモータ
９によりターンテーブル８を介してディスクＤを高速回転させると共に、フィードモータ
１５によりねじ軸機構１５ａを介して光ピックアップ１０を往復移動させ、対物レンズＯ
ＬからディスクＤにレーザ光を投射し、その反射光に基づいてディスクＤに記録されてい
る情報を読み取る。
【０００８】
トレイオープン時には、フィードモータ１５によりねじ軸機構１５ａを介して光ピック
アップ１０をディスクＤの内周側に移動させ、ピニオン１６を正転ｇさせることにより、
該ピニオン１６に噛合するカムラック１７を介してカムスライダ１２を矢印ｆ方向にスラ
イドさせ、これにより、カム機構１３を介してトラバースシャーシ５を下動ｄさせ（図７
仮想線参照）、ターンテーブル８上のディスクＤをトレイ１上に移し替える。
【０００９】
その後、各ガイドピン１９をトレイ１の傾斜面（図示せず）に係合させることにより、
該トレイ１を前進ａさせてトレイラック１８をピニオン１６に噛合させ、該ピニオン１６
の正転ｇにより、トレイラック１８を介してトレイ１を前進ａさせる（図６、図７仮想線
状態参照）。
【００１０】
図６及び図７の実線で示すプレイモードで、スピンドルモータ９によりターンテーブル
８を介してディスクＤを高速回転させたときに発生する振動がトラバースシャーシ５を介
して光ピックアップ１０に伝達されることにより、その光ピックアップ１０で読取誤差が
生じないようにするため、その振動を抑制する第１手段として弾性体６，７が用いられ、
その第２手段として制振機構２５が用いられている。
【００１１】
前記制振機構２５は、図６及び図８に示すように、トラバースシャーシ５の一方のアー
ム部５ｂの外側面中央に一体突設されて該アーム部５ｂの長手方向とは直交する方向に沿
って延びる突起片２６と、その突起片２６に対向して棚枠３に形成したスリット間に切り
残された弾性変位可能なＵ字片２７とからなっている。
【００１２】
上記構成において、Ｕ字片２７の先端部を突起片２６に弾性的に押し付け、その押付力
でカムピン１３ｂを縦溝１４の内側面１４ａに押し付けることにより、そのＵ字片２７と
縦溝１４の内側面１４ａとでトラバースシャーシ５のレバーアーム５Ｂを挟み付ける。な
お、関連する技術として特許文献１に記載したものがある。
【先行技術文献】
【特許文献】
【００１３】
【特許文献１】特開２００５−７１５５２号公報
【発明の概要】
【発明が解決しようとする課題】
【００１４】
上記従来の構成では、Ｕ字片２７の先端部をレバーアーム５Ｂのアーム部５ｂの外側面
中央に一体突設した突起片２６に弾性的に押し付けることにより、トラバースシャーシ５
の振動を抑制するようになっており、そのＵ字片２７がトラバースシャーシ５の最も振動
しやすいレバー本体５ａから離れているから、振動抑制機能を効果的に発揮させることが
できなかった。
【００１５】
また、Ｕ字片２７の先端部に突起片２６が常時接触されているから、該Ｕ字片２７に疲
労が蓄積されて弾性が低下するおそれがある。
【００１６】
本発明は、上記従来の欠点に基づいて、ディスク高速回転時の振動を長期にわたって確
実に抑制することができるようにしたディスク装置を提供することを目的としている。
【課題を解決するための手段】
【００１７】
上記目的を達成するため、請求項１に記載の発明は、ターンテーブル付きスピンドルモ
ータ及びディスクの半径方向に移動可能な光ピックアップを搭載したシャーシ本体と合成
樹脂製レバーアームとからなるトラバースシャーシがローダーシャーシ内に上下動可能に
配置され、前記レバーアームが、レバー本体と、該レバー本体の両端から延びてローダー
シャーシに回動可能に枢支された左右一対のアーム部とを有し、前記ローダーシャーシの
前部にスライド可能に配置したカムスライダと前記レバーアームとがカム機構により連動
連結され、レバーアームの振動を抑制する制振機構が設けられており、プレイモードで、
スピンドルモータによりターンテーブルを介してディスクを高速回転させ、該ディスクに
記録されている情報を光ピックアップにより読み取り、レバーアームの振動を制振機構に
より抑制するようにしたディスク装置において、前記制振機構が、前記レバー本体の一端
部を切欠いて形成した凹部の内面に一体突設した弾性変位可能な抑え片を有しており、該
抑え片がＵ字形に形成されてその先端部がローダーシャーシに弾性的に押し付けられてい
ることを特徴としている。
【００１８】
請求項２に記載の発明は、請求項１に記載の発明において、前記抑え片の中央弯曲部か
ら先端部かけての中間部が先すぼまり状に形成されていることを特徴としている。
【００１９】
請求項３に記載の発明は、請求項１または２に記載の発明において、前記トラバースシ
ャーシの下動状態で抑え片の先端部に対向してローダーシャーシに凹段部が形成されてい
ることを特徴としている。
【発明の効果】
【００２０】
請求項１に記載の発明によれば、トラバースシャーシを構成するレバー本体の一端部に
設けた弾性変位可能な抑え片の先端部をローダーシャーシに弾性的に押し付けており、そ
の抑え片がトラバースシャーシの最も振動しやすいレバー本体に設けられているから、デ
ィスク高速回転時の振動を確実に抑制することができる。
【００２１】
抑え片がＵ字形でコンパクトに形成されているから、その抑え片をローダーシャーシ内
の限られたスペース内に効率よく収納することができる。
【００２２】
抑え片がＵ字形に形成されて、そのばね長が大きく設定されているから、該抑え片にか
かる応力が分散され、例えば倉庫に保管している状態で室温が高温（例えば６０°Ｃ）に
なっても、その抑え片が変形されないようにすることができる。
【００２３】
請求項２に記載の発明によれば、抑え片の中間部が先すぼまり状に形成されているから
、該中間部を適度に撓ませて該抑え片の先端部をローダーシャーシに弾性的に押し付ける
ことができる。
【００２４】
また、抑え片の中央弯曲部の横断面が大きく設定されているので、その中央弯曲部に応
力が集中的にかかって劣化するのを阻止することができる。
【００２５】
請求項３に記載の発明によれば、トラバースシャーシを下動させることにより、抑え片
の先端部が凹段部に対向して、その先端部にかかっていた負荷が解消または軽減されるか
ら、抑え片の弾性を長期にわたって適正に維持することができる。
【図面の簡単な説明】
【００２６】
【図１】本発明の実施の一形態であるディスク装置の平面図である。
【図２】図１のＡ−Ａ矢視図である。
【図３】同レバーアームの斜視図である。
【図４】（ａ）は同要部の拡大斜視図、（ｂ）はＢ−Ｂ矢視図、（ｃ）はＣ−Ｃ矢視図である。
【図５】（ａ）は同要部の拡大水平断面図、（ｂ）は同要部の一部切欠き正面図である。
【図６】従来例を示す平面図である。
【図７】同縦断面図である。
【図８】図６のＤ−Ｄ矢視図である。
【発明を実施するための形態】
【００２７】
図１〜図５は本発明の実施の一形態であるディスク装置を示すものであり、これはＢｌ
ｕ−ｒａｙ  Ｄｉｓｃ式のレコーダ（またはプレーヤ）であって、トラバースシャーシ５
を構成するレバーアーム５Ｂのレバー本体５ａに制振機構２５が設けられており、該制振
機構２５は、レバー本体５ａの一端部を切欠いて形成した凹部２９内に配置した抑え片３
０を有している。上記以外の構成は図６〜図８に示す構成とほぼ同じであるから、同一部
分に同一符号を付してその説明を省略する
【００２８】
図４及び図５に示すように、前記抑え片３０は、凹部２９の左右方向ｅ，ｆに沿う内面
２９ａから前進ａ方向に延ばされた基端部３０ａと、該基端部３０ａからＵ字状に折り曲
げられた中央弯曲部３０ｂと、該中央弯曲部３０ｂから後進ｂ方向に延ばされた中間部３
０ｃと、該中間部３０ｃにつながって上下方向に延びる先端部３０ｄとにより、平面視Ｕ
字状に形成されている。
【００２９】
図４（ｂ）に示すように、抑え片３０の基端部３０ａ及び中央弯曲部３０ｂは、横断面
矩形状の肉厚に形成され，特に、応力が集中する中央弯曲部３０ｂの幅を基端部３０ａよ
りも大きくして充分な強度を持たせている。
【００３０】
図４（ｃ）に示すように、抑え片３０の中間部３０ｃは、横断面矩形状で、中央弯曲部
３０ｂよりも横断面が小さくなるように設定して、先すぼまり状にされることにより、弾
性変位可能に形成されている。また、図５（ａ）に示すように、中間部３０ｃの中央から
先端側を所定の傾斜角度α（例えば２°〜５°）で外向きに傾斜させることにより、先端
部３０ｄが中央弯曲部３０ｂよりも外側に位置決めされている。
【００３１】
図４（ａ）に示すように、抑え片３０の先端部３０ｄは、角柱状であって、中間部３０
ｃよりも上方に突出する突出部の外側角部を面取りして傾斜状ガイド面３１が形成されて
いる。
【００３２】
図２及び図５（ｂ）に示すように、トラバースシャーシ５の下動ｄ状態（図７仮想線参
照）で、抑え片３０の先端部３０ｄに対向してローダーシャーシ２の棚枠３の内側面３ａ
に凹段部３２が形成されている。
【００３３】
プレイモードでは、図１及び図２（ａ）に示すように、トラバースシャーシ５を上動ｃ
させて水平姿勢にすることにより、図５（ｂ）に実線で示すように、抑え片３０の中間部
３０ｃを撓ませて該抑え片３０の先端部３０ｄを棚枠３の内側面３ａに弾性的に押し付け
ており、その押付力でカムピン１３ｂを縦溝１４の内側面１４ａに押し付け、その抑え片
３０と縦溝１４の内側面１４ａとでトラバースシャーシ５のレバーアーム５Ｂを挟み付け
ている。
【００３４】
この状態で、スピンドルモータ９によりターンテーブル８を介してディスクＤを高速回
転させると、その高速回転により発生する振動が、第１手段である弾性体６，７で抑制さ
れると共に、第２手段である抑え片３０の弾性変位により抑制される。
【００３５】
上記構成によれば、抑え片３０がトラバースシャーシ５の最も振動しやすいレバー本体
５ａに設けられているから、ディスクＤの高速回転時の振動を確実に抑制することができ
る。
【００３６】
抑え片３０がＵ字形でコンパクトに形成されているから、その抑え片３０をローダーシ
ャーシ２内の限られたスペース内に効率よく収納することができる。
【００３７】
図５（ａ）に示すように、抑え片３０がＵ字形に形成されて、そのばね長Ｌが大きく設
定されているから、該抑え片３０にかかる応力が分散され、例えば倉庫に保管している状
態で室温が高温（例えば６０°Ｃ）になっても、その抑え片３０が変形されないようにす
ることができる。
【００３８】
抑え片３０の中間部３０ｃが先すぼまり状に形成されているから、該中間部３０ｃを適
度に撓ませて該抑え片３０の先端部３０ｄを棚枠３の内側面３ａに弾性的に押し付けるこ
とができる。
【００３９】
図４（ｂ）に示すように、抑え片３０の中央弯曲部３０ｂの横断面が大きく設定されて
いるので、その中央弯曲部３０ｂに応力が集中的にかかって劣化するのを阻止することが
できる。
【００４０】
トレイオープン時に、トラバースシャーシ５を下動ｄさせることにより、図５（ｂ）に
仮想線で示すように、抑え片３０の先端部３０ｄが凹段部３２に対向して、該凹段部３２
の内側面３２ａから先端部３０ｄが離間されたり押し付けが小さくなって、その先端部３
０ｄにかかっていた負荷が解消または軽減されるから、抑え片３０の弾性を長期にわたっ
て適正に維持することができる。
【符号の説明】
【００４１】
２        ローダーシャーシ
５        トラバースシャーシ
５Ａ      トラバースシャーシのシャーシ本体
５Ｂ      トラバースシャーシのレバーアーム
５ａ      レバーアームのレバー本体
５ｂ      レバーアームのアーム部
８        ターンテーブル
９        スピンドルモータ
１０      光ピックアップ
２５      制振機構
２９      凹部
２９ａ    凹部の内面
３０      抑え片
３０ｂ    抑え片の中央弯曲部
３０ｃ    抑え片の中間部
３０ｄ    抑え片の先端部
３２      凹段部
３２ａ    凹段部の内側面
【図１】
2012099187.tif 000003
【図２】
2012099187.tif 000004
【図３】
2012099187.tif 000005
【図４】
2012099187.tif 000006
【図５】
2012099187.tif 000007
【図６】
2012099187.tif 000008
【図７】
2012099187.tif 000009
【図８】
2012099187.tif 000010